(57)【要約】【課題】説明者が効果的な説明を行い、受講者が最適な受講スタイルをとれるプレゼンテーションシステムを提供する。【解決手段】プレゼンテーションシステムにおいて、説明者用ＰＣは、複数の表示領域と画像バッファと表示画像データ及びプログラムが記憶されるハードディスクと、データを送信する送信部と複数の表示領域のうち、受講者用ＰＣに画像を送信する表示領域を選択操作する操作部とプログラムに基づいて、画像表示及び送信部において操作部の操作に応じて選択された表示領域に関連する画像データを含むデータ送信を制御するＣＰＵとを備える。受講者用ＰＣは、画像データを受信する受信部と画像データに基づく画像を表示する表示領域を含む複数の表示領域と画像バッファと表示画像データ及びプログラムが記憶されるハードディスクと表示された画像を操作に基づき一時的に記憶するメモリとプログラムに基づいて、画像表示を制御するＣＰＵとを備える。【選択図】図６
2010176250.tif 000002
【特許請求の範囲】
【請求項１】
説明者用の画像を表示する説明者用画面を有する説明者用電子計算機、及び受講者用の画像を表示する受講者用画面を有する受講者用電子計算機を含むプレゼンテーションシステムにおいて、
前記説明者用電子計算機は、
前記説明者用画面に設けられた複数の説明者用表示領域と、
前記複数の説明者用表示領域に対応する画像バッファと、
前記複数の説明者用表示領域に表示される表示画像データ及びプレゼンテーション用プログラムが記憶される説明者用記憶部と、
前記受講者用電子計算機にデータを送信する送信部と、
前記複数の説明者用表示領域のうち、前記受講者用電子計算機に画像を送信する説明者用表示領域を選択操作可能な説明者用操作部と、
前記説明者用記憶部に記憶されるプレゼンテーションシステム用プログラムに基づいて、前記説明者用画面における画像表示及び、前記送信部において前記説明者用操作部の操作に応じて選択された前記説明者用表示領域に関連する説明者用画像データを含むデータ送信を制御する説明用制御部とを備え、
前記受講者用電子計算機は、
前記説明者用電子計算機から送信された説明者用画像データを受信する受信部と、
前記受信部から受信した前記説明者用画像データに基づく画像を表示する説明者用画像表示領域を含む前記受講者用画面に設けられた複数の受講者用表示領域と、
前記複数の受講者用表示領域に対応する画像バッファと、
前記複数の受講者用表示領域に表示される表示画像データ及びプレゼンテーションシステム用プログラムが記憶される受講者用記憶部と、
前記説明者用画像表示領域に表示された画像を受講者用操作部の操作に基づき一時的に記憶する受講者用一時記憶部と、
前記受講者用記憶部に記憶されるプレゼンテーションシステム用プログラムに基づいて、前記受講者用画面の説明者用画像表示領域における画像表示及び、前記受講者用一時記憶部に記憶された画像表示を制御する受講者用制御部とを備えることを特徴とするプレゼンテーションシステム。
【請求項２】
請求項１に記載のプレゼンテーションシステムにおいて、
前記受講者用電子計算機は、
前記受講者用一時記憶部に記憶された画像に関する記憶画像データを前記説明者用電子計算機に送信する受講者用送信装置を備え、
前記説明者用電子計算機は、
前記受講者用電子計算機から送信された記憶画像データを受信可能な受信装置と、
前記受信装置によって受信された記憶画像データを記憶する説明者用一時記憶部と、
前記説明者用一時記憶部に記憶された記憶画像データを表示する記憶画像表示領域とを備えることを特徴とするプレゼンテーションシステム。
【請求項３】
請求項２に記載のプレゼンテーションシステムにおいて、
前記説明者用電子計算機の前記説明用制御部は、
前記説明者用一時記憶部に記憶された記憶画像データの種類を判別する工程と、
判別された記憶画像データの種類ごとに、受信した記憶画像データの数を記憶する工程と、
前記記憶画像表示領域において、記憶された記憶画像データの数に応じた記憶画像情報を表示させる工程とを含む制御を行うことを特徴とするプレゼンテーションシステム。
【請求項４】
請求項３に記載のプレゼンテーションシステムにおいて、
記記憶画像表示領域において表示される記憶画像情報は、グラフ画像であることを特徴とするプレゼンテーションシステム。
【請求項５】
請求項２から４のいずれかに記載のプレゼンテーションシステムにおいて、
前記受講者用送信装置は、所定周期ごとに、記憶画像データを前記説明者用電子計算機に送信することを特徴とするプレゼンテーションシステム。
【請求項６】
請求項１から５のいずれかに記載のプレゼンテーションシステムにおいて、
前記受講者用電子計算機の受講者用操作部は、キーボード又はリモコンであることを特徴とするプレゼンテーションシステム。
【請求項７】
請求項１から６のいずれかに記載のプレゼンテーションシステムにおいて、
前記説明用制御部は、
前記説明者用操作部の操作に応じて、前記説明者用画像データに他のプログラムと関連付け、
前記説明者用操作部の操作に応じて、前記説明者用画像データに関連付けられた他のプログラムが起動する制御を行い、
前記説明者用表示領域は、起動されたプログラムに関連する画像が表示される説明者用起動画像表示領域を有し、
前記説明用制御部は、前記説明者用起動画像表示領域を所定の位置に配置する制御を行うことを特徴するプレゼンテーションシステム。
【請求項８】
請求項１から７のいずれかに記載のプレゼンテーションシステムにおいて、
前記受講者用制御部は、
説明者用画像データの一部に関連付けられている他のプログラムを判定し、
前記説明者用操作部の操作に応じて、説明者用画像データに関連付けられた他のプログラムを起動する制御を行い、
前記受講者用表示領域は、起動されたプログラムに関連する画像が表示される受講者用起動画像表示領域を有し、
前記受講者用制御部は、前記受講者用起動画像表示領域を所定の位置に配置する制御を行うことを特徴するプレゼンテーションシステム。
【発明の詳細な説明】
【技術分野】
【０００１】
この発明は、プレゼンテーションシステムに関し、特に、説明者側の電子計算機と受講者側の電子計算機とを備えるプレゼンテーションシステムに関する。
【背景技術】
【０００２】
従来、プレゼンテーション用のプログラムを利用したプレゼンテーションシステムが提供されている。これらのプレゼンテーション用ソフトでは、説明者が説明を容易にするために、様々な機能が実装されている。例えば、パワーポイント（登録商標）では、ノート機能を有しており、このノート機能によって、基本的に受講者側に提示するプレゼンテーション用の領域と、基本的に説明者側のみが使用するノート領域とに分けられる。
【０００３】
しかし、このようなプレゼンテーションシステムでは、パソコンのモニタの画面全体が液晶プロジェクタで投影されるため、パソコンで予め作成しておいた説明用の原稿を投影用画像と一緒にモニタに表示すると、原稿まで投影されてしまう。また、受講者は、投影画面に合わせて説明を聞くため、任意の画像を保持しつつ、説明を聞くことができなかった。
【０００４】
このため、説明用原稿を参照しながらプレゼンテーションを行う説明者は、印刷した原稿を手に持って説明を行うことになるが、原稿を印刷し、原稿を手に持って説明を行う際に投影用画像を切り換えながら原稿のページをめくる必要があり大変であり、さらに、説明会場が暗い場合などには原稿が読みづらいなどの課題があった。
【０００５】
このため、投影用画像を表示する第１モニタと、前記投影用画像に関連する説明用原稿を表示する第２モニタとを備え、プロジェクタは、第１モニタに表示される投影用画像をスクリーンなどに投影するプレゼンテーションシステムが提供されている（特許文献１）。また、プロジェクタや受講者用コンピュータの表示画面上に、受講者用画像データがそのまま表示され、説明者用コンピュータの表示画面上には、受講者用画像データと説明者用画像データとが重なった合成画像データが表示されるプレゼンテーションシステムが提供されている（特許文献２）。合成画像データでは、一方の画像データが透かされて他方の画像データに重ねられているので、説明者は、説明者用画像と受講者用画像の双方を見ることができる。
【先行技術文献】
【特許文献】
【０００６】
【特許文献１】特開２００４−１９８８３５号公報
【特許文献２】特開２００８−１９１４５５号公報
【発明の概要】
【発明が解決しようとする課題】
【０００７】
しかしながら、複数の画面を用いてプレゼンテーションを行う場合、操作が困難となり、特に、緊張した説明者にとっては、かえって操作ミスを誘発しやすい。また、上記のプレゼンテーションシステムであっても、受講者は任意の画面を残してプレゼン用画面を表示できないため、プレゼンテーションを理解するための自由度が少ない。このため、受講者が選択した任意の画面を見ながら受講するなど、受講者にとって最適な受講スタイルをとることが困難である。
【０００８】
このため、説明者がより効果的な説明を行うことが可能になるとともに、受講者にとって最適な受講スタイルをとることを可能とするプレゼンテーションシステムの提供が求められている。
【０００９】
本発明は、このような問題点を解決し、説明者がより効果的な説明を行うことが可能になるとともに、受講者にとって最適な受講スタイルをとることを可能とするプレゼンテーションシステムを提供することを目的とする。
【課題を解決するための手段】
【００１０】
請求項１の発明は、説明者用の画像を表示する説明者用画面を有する説明者用電子計算機、及び受講者用の画像を表示する受講者用画面を有する受講者用電子計算機を含むプレゼンテーションシステムにおいて、前記説明者用電子計算機は、前記説明者用画面に設けられた複数の説明者用表示領域と、前記複数の説明者用表示領域に対応する画像バッファと、前記複数の説明者用表示領域に表示される表示画像データ及びプレゼンテーションシステム用プログラムが記憶される説明者用記憶部と、前記受講者用電子計算機にデータを送信する送信部と、前記複数の説明者用表示領域のうち、前記受講者用電子計算機に画像を送信する説明者用表示領域を選択操作可能な説明者用操作部と、前記説明者用記憶部に記憶されるプレゼンテーションシステム用プログラムに基づいて、前記説明者用画面における画像表示及び、前記送信部において前記説明者用操作部の操作に応じて選択された前記説明者用表示領域に関連する説明者用画像データを含むデータ送信を制御する説明用制御部とを備え、前記受講者用電子計算機は、前記説明者用電子計算機から送信された説明者用画像データを受信する受信部と、前記受信部から受信した前記説明者用画像データに基づく画像を表示する説明者用画像表示領域を含む前記受講者用画面に設けられた複数の受講者用表示領域と、前記複数の受講者用表示領域に対応する画像バッファと、前記複数の受講者用表示領域に表示される表示画像データ及びプレゼンテーションシステム用プログラムが記憶される受講者用記憶部と、前記説明者用画像表示領域に表示された画像を受講者用操作部の操作に基づき一時的に記憶する受講者用一時記憶部と、前記受講者用記憶部に記憶されるプレゼンテーションシステム用プログラムに基づいて、前記受講者用画面の説明者用画像表示領域における画像表示及び、前記受講者用一時記憶部に記憶された画像表示を制御する受講者用制御部とを備えることを特徴とするプレゼンテーションシステムである。
【００１１】
請求項１の発明によれば、複数の説明者用表示領域を持つため、説明者は説明者用表示領域として説明用画面とプレゼン用画面を独立して管理できることで、説明用画面に表示された他の情報を参照しながら、説明者用表示領域に表示された画像によってプレゼンできる。これにより、説明者は、説明用画面に表示する説明者用資料と、プレゼン用画面に表示するプレゼン用資料と独立して柔軟に作成できる。また、説明者は、一つの表示装置の表示画面上で操作できるので、仮に、緊張していたとしても簡単にプレゼン操作ができるとともに、説明者が説明用画面に表示された説明者用資料をカンニングすることで説明しやすくなる。
【００１２】
さらに、受講者用画面に設けられた複数の受講者用表示領域があるため、ある受講者用表示領域に受講者は操作によって、目次や参考資料などの任意のプレゼン資料を表示しながら、別の受講者用表示領域において、現在のプレゼン資料を表示するといった各人の理解に最適なスタイルで聞くことができる。例えば、ディスプレイを２つ使用する場合（いわゆるツインディスプレイの場合）に、一方のディスプレイにプレゼン資料を表示し、別のディスプレイにプレゼンの参考資料などを表示することができる。このように、最適なスタイルで聞けることによって受講者がプレゼン内容を理解しやすくなる。このため、説明者がより効果的な説明を行うことが可能になるとともに、受講者にとって最適な受講スタイルをとることを可能とするプレゼンテーションシステムを提供することが可能になる。
【００１３】
請求項２の発明は、請求項１に記載のプレゼンテーションシステムにおいて、前記受講者用電子計算機は、前記受講者用一時記憶部に記憶された画像に関する記憶画像データを前記説明者用電子計算機に送信する受講者用送信装置を備え、前記説明者用電子計算機は、前記受講者用電子計算機から送信された記憶画像データを受信可能な受信装置と、前記受信装置によって受信された記憶画像データを記憶する説明者用一時記憶部と、前記説明者用一時記憶部に記憶された記憶画像データを表示する記憶画像表示領域とを備えることを特徴とするプレゼンテーションシステムである。
【００１４】
請求項２の発明によれば、受講者の操作によって、どの画像が受講者用一時記憶部に一時的に記憶されているかという記憶画像データが受講者用電子計算機から説明者用電子計算機に送信される。そして、説明者は、説明者用電子計算機が受信した記憶画像データを表示させることによって、受講者が興味を持った画像を知ることができる。例えば、受講者が興味を持った画像に関して、次回の説明の際に、より重点的に説明することによって、説明者がより効果的な説明を行うことが可能になる。
【００１５】
請求項３の発明は、請求項２に記載のプレゼンテーションシステムにおいて、前記説明者用電子計算機の前記説明用制御部は、前記説明者用一時記憶部に記憶された記憶画像データの種類を判別する工程と、判別された記憶画像データの種類ごとに、受信した記憶画像データの数を記憶する工程と、前記記憶画像表示領域において、記憶された記憶画像データの数に応じた記憶画像情報を表示させる工程とを含む制御を行うことを特徴とするプレゼンテーションシステムである。
【００１６】
請求項３の発明によれば、記憶された記憶画像データの数に応じて記憶画像情報が表示されるため、説明者は、受講者が興味を持った画像を知ることができる。例えば、受講者が興味を持った画像に関して、次回の説明の際に、より重点的に説明することによって、説明者がより効果的な説明を行うことが可能になる。
【００１７】
請求項４の発明は、請求項３に記載のプレゼンテーションシステムにおいて、記記憶画像表示領域において表示される記憶画像情報は、グラフ画像であることを特徴とするプレゼンテーションシステムである。
【００１８】
請求項４の発明によれば、記憶された記憶画像データの数に応じたグラフ画像表示されるため、説明者は、受講者が興味を持った画像を知ることができる。例えば、受講者が興味を持った画像に関して、次回の説明の際に、より重点的に説明することによって、説明者がより効果的な説明を行うことが可能になる。
【００１９】
請求項５の発明は、請求項２から４のいずれかに記載のプレゼンテーションシステムにおいて、前記受講者用送信装置は、所定周期ごとに、記憶画像データを前記説明者用電子計算機に送信することを特徴とするプレゼンテーションシステムである。
【００２０】
請求項５の発明によれば、所定周期ごとに、記憶画像データを前記説明者用電子計算機に送信するため、説明者は、適時、受講者が興味を持った画像を知ることができる。例えば、説明中に、受講者が興味を持った画像に関して情報が得られるため、再度、その画像についての内容を補足したり、質疑応答時の質問内容を予測したりすることによって、説明者がより効果的な説明を行うことが可能になる。
【００２１】
請求項６の発明は、請求項１から５のいずれかに記載のプレゼンテーションシステムにおいて、前記受講者用電子計算機の受講者用操作部は、キーボード又はリモコンであることを特徴とするプレゼンテーションシステムである。
【００２２】
請求項６の発明によれば、受講者用電子計算機の受講者用操作部が、キーボード又はリモコンである。例えば、キーボードのファンクションキーを押すことによって、画像が記憶できるようになると、説明者が説明中に、受講者は、キーボードを見ることなく、必要な画像を記憶することが可能になり、説明に集中することが可能になる。
【００２３】
請求項７の発明は、請求項１から６のいずれかに記載のプレゼンテーションシステムにおいて、前記説明用制御部は、前記説明者用操作部の操作に応じて、前記説明者用画像データに他のプログラムと関連付け、前記説明者用操作部の操作に応じて、前記説明者用画像データに関連付けられた他のプログラムが起動する制御を行い、前記説明者用表示領域は、起動されたプログラムに関連する画像が表示される説明者用起動画像表示領域を有し、前記説明用制御部は、前記説明者用起動画像表示領域を所定の位置に配置する制御を行うことを特徴するプレゼンテーションシステムである。
【００２４】
請求項７の発明によれば、説明者の操作に応じて、説明者用画像データに他のプログラムと関連付け、説明者用操作部の操作に応じて他のプログラムが起動し、起動されたプログラムに関連する画像を所定の位置に配置する。例えば、プレゼン用画像データに関連付けられている他のアプリケーション（ワードやエクセル（登録商標））を起動し、起動されたアプリの画像データを適切にディスプレイに配置することが可能になる。
【００２５】
請求項８の発明は、請求項１から７のいずれかに記載のプレゼンテーションシステムにおいて、前記受講者用制御部は、説明者用画像データの一部に関連付けられている他のプログラムを判定し、前記説明者用操作部の操作に応じて、説明者用画像データに関連付けられた他のプログラムを起動する制御を行い、前記受講者用表示領域は、起動されたプログラムに関連する画像が表示される受講者用起動画像表示領域を有し、前記受講者用制御部は、前記受講者用起動画像表示領域を所定の位置に配置する制御を行うことを特徴するプレゼンテーションシステムである。
【００２６】
請求項８の発明によれば、説明者用操作部の操作に応じて、説明者用画像データに関連付けられた他のプログラムを起動し、起動されたプログラムに関連する画像を所定の位置に配置する。例えば、現在のプレゼン用資料の中に、専門用語（たとえばＳＣＭ（サプライチェーンマネージメントの略））があれば、そこをクリック等すると、別表示領域に用語解説が表示される。また、ＵＲＬやアプリが埋め込まれていれば、他のアプリケーションを起動する。さらに、起動されたアプリの画像データを適切にディスプレイ上に配置することが可能になる。
【発明の効果】
【００２７】
本発明によれば、説明者がより効果的な説明を行うことが可能になるとともに、受講者にとって最適な受講スタイルをとることを可能とするプレゼンテーションシステムを提供することが可能になる。
【図面の簡単な説明】
【００２８】
【図１】本発明にかかるプレゼンテーションシステムを示す概念図である。
【図２】本発明にかかる発表用コンピュータと、受講者用コンピュータとの電気的構成を示すブロック図である。
【図３】本発明にかかるプレゼンテーションシステムにおいて実行される制御処理を示すフローチャートである。
【図４】本発明にかかるプレゼンテーションシステムにおいて実行される制御処理を示すフローチャートである。
【図５】本発明にかかるプレゼンテーションシステムにおいて実行される制御処理を示すフローチャートである。
【図６】本発明にかかるプレゼンテーションシステムにおいて実行される制御処理を示すフローチャートである。
【図７】本発明にかかるプレゼンテーションシステムにおいて実行される制御処理を示すフローチャートである。
【図８】本発明にかかる別実施形態のプレゼンテーションシステムを示す概念図である。
【発明を実施するための形態】
【００２９】
以下に、本発明に好適な実施形態について図面に基づいて説明する。
【００３０】
図１は、本発明にかかるプレゼンテーションシステム１を示す概念図である。図１に示すように、プレゼンテーションシステム１は、ディスプレイ１５０を有する発表者用コンピュータ１００と、発表者用コンピュータ１００に接続し、ディスプレイ２５０を有する受講者用コンピュータ２００と、発表者用コンピュータ１００に接続し、ディスプレイ３５０を有する受講者用コンピュータ３００と、発表者用コンピュータ１００に接続し、ディスプレイ４５０を有する受講者用コンピュータ４００とを含んで構成されている。なお、本実施形態において、受講者用コンピュータは三台かかれているが、一例であり、本発明はこれに限定されず受講者用コンピュータは一台、二台でもいいし、四台以上の複数であっても良い。このように、プレゼンテーションシステム１は、説明者用の画像を表示する説明者用画面を有する説明者用電子計算機、及び受講者用の画像を表示する受講者用画面を有する受講者用電子計算機を含むプレゼンテーションシステムの一例である。
【００３１】
図２は、本発明にかかる説明者用の発表者用コンピュータ１００と、受講者用の受講者用コンピュータ２００との電気的構成を示すブロック図である。
【００３２】
図２に示すように、説明者用の発表者用コンピュータ１００（電子計算機）の本体部１０５は、画面に複数の説明者用の表示領域１５１〜１５３を有する説明者用のディスプレイ１５０と、キーボード１４０と、マウス１４５とに接続している。また、本体部１０５は、ディスプレイ１５０での各表示領域１５１〜１５３に対応する画像バッファ１２５と、データを一時的に記憶するメモリ１２０と、各表示領域１５１〜１５３に表示される表示画像データ及びプレゼンテーションシステム用のプログラムなどが記憶されるハードディスク１３０と、受講者用のコンピュータと各種データを送信するＩ／Ｏ１６０と、プログラムに基づいて、ディスプレイ１５０における画像表示及び、Ｉ／Ｏ１６０において説明者のキーボード１４０の操作に応じて選択された画像データを含むデータ送信を制御するＣＰＵ１１０とを備えている。また、説明者は、キーボード１４０を操作することで、ディスプレイ１５０の複数の表示領域１５１〜１５３のうち、受講者用の受講者用コンピュータ２００〜４００に画像を送信する表示領域を選択操作可能である。また、説明者用電子計算機は、また、このＩ／Ｏ１６０は、受講者用の受講者用コンピュータ２００などから送信された画像データを受信可能である。また、メモリ１２０は、Ｉ／Ｏ１６０によって受信された画像データを記憶する。さらに、ディスプレイ１５０の表示領域１５３は、説明者の操作に応じて、メモリ１２０に記憶された画像データを表示することができる。なお、本実施形態において、表示領域の数は、３つと記載されているが、本発明はこれに限定されず、説明者の操作に応じて、表示領域の数は任意に増減できる。また、説明の都合上、受講者用のコンピュータから送信された画像データを表示する表示領域を１５３と記載しているが、本発明はこれに限定されず、説明者の操作によって任意の表示領域で受講者用のコンピュータから送信された画像データを表示することができる。なお、本体部１０５は、ハードディスク１３０の代わりに、または、併用して、フラッシュディスク（半導体ディスク）を用いてもよい。
【００３３】
受講者用の受講者用コンピュータ２００の本体部２０５は、ディスプレイ２５０と、マウス２４５と、キーボード２４０とに接続している。このディスプレイ２５０は、説明者用の発表者用コンピュータ１００から受信した画像データに基づく画像を表示する表示領域２５１など、複数の表示領域２５１〜２５３を有している。また、本体部２０５は、表示領域２５１に表示された画像を受講者のキーボード２４０の操作に基づき一時的に記憶するメモリ２２０と、表示領域２５１〜２５３に対応する画像バッファ２２５と、表示領域２５１〜２５３に表示される画像データ及びプレゼンテーションシステム用のプログラムが記憶される受講者用記憶部ハードディスク２３０と、説明者用の発表者用コンピュータ１００から送信された画像データを受信するＩ／Ｏ２６０と、プログラムに基づいて、ディスプレイ２５０の表示領域２５１における画像表示及び、メモリ２２０に記憶された画像表示を制御するＣＰＵ２１０とを有している。また、ＣＰＵ２１０は、メモリ２２０に記憶された画像に関する画像データを説明者用の発表者用コンピュータ１００にＩ／Ｏ２６０を介して送信させる制御を行う。なお、本体部２０５は、受講者用記憶部ハードディスク２３０の代わりに、または、併用して、フラッシュディスク（半導体ディスク）を用いてもよい。
【００３４】
図３は、本発明にかかるプレゼンテーションシステム１において実行される制御処理を示すフローチャートである。
【００３５】
ステップＳ３１０において、説明者用の発表者用コンピュータ１００のＣＰＵ１１０は、説明者によるマウス１４５又はキーボード１４０の操作に基づいて、プレゼンテーションシステム用のプログラムを起動する。この処理が終了した場合には、ステップＳ３２０に処理を移す。
【００３６】
ステップＳ３２０において、ＣＰＵ１１０は、ディスプレイ１５０上に複数の表示領域１５１〜１５３を表示する。さらに、ＣＰＵ１１０は、説明者によるマウス１４５又はキーボード１４０の操作に基づいて、表示領域ごとにプレゼンテーション用の画像データを展開し、またプレゼンテーション用の画像データに関連付けられた他のアプリケーション（例えば、Ｅｘｃｅｌ（登録商標）などの表計算ソフトや、Ｍｉｃｒｏｓｏｆｔ  Ｗｏｒｄ（登録商標）などのワープロソフトなど）の画像データを展開する。この処理が終了した場合には、ステップＳ３３０に処理を移す。
【００３７】
ステップＳ３３０において、ＣＰＵ１１０は、説明者によるマウス１４５又はキーボード１４０の操作に基づいて、ディスプレイ１５０上に表示された表示領域１５１〜１５３のうち、受講者用の受講者用コンピュータ２００など受講者用のコンピュータに画像データを送る表示領域を選択し、当該表示領域に表示される画像に対応する画像データをメモリ１２０に記憶する処理を行う。この処理が終了した場合には、ステップＳ３４０に処理を移す。
【００３８】
ステップＳ３４０において、ＣＰＵ１１０は、ステップＳ３３０において、メモリ１２０に記憶された画像データを受講者用のコンピュータに送信する処理を行う。この処理が終了した場合には、ステップＳ３５０に処理を移す。
【００３９】
ステップＳ３５０において、ＣＰＵ１１０は、説明者によるマウス１４５又はキーボード１４０の操作に基づいて、プレゼンテーションシステムのプログラムが停止されたか否かを判断する処理を行う。ＣＰＵ１１０が、プログラムが停止されたと判断した場合には、プログラムの終了処理を行い、プログラムが停止されたと判断しない場合には、ステップＳ３２０に処理を移す。
【００４０】
図４は、本発明にかかるプレゼンテーションシステム１において実行される制御処理を示すフローチャートである。
【００４１】
ステップＳ４１０において、説明者用の受講者用コンピュータ２００のＣＰＵ２１０は、説明者によるマウス２４５又はキーボード２４０の操作に基づいて、プレゼンテーションシステム用のプログラムを起動する。この処理が終了した場合には、ステップＳ４２０に処理を移す。
【００４２】
ステップＳ４２０において、ＣＰＵ２１０は、ディスプレイ２５０上に複数の表示領域２５１〜２５３を表示する。この処理が終了した場合には、ステップＳ４３０に処理を移す。
【００４３】
ステップＳ４３０において、ＣＰＵ２１０は、説明者によるマウス２４５又はキーボード２４０の操作に基づいて、ディスプレイ２５０上に表示された表示領域２５１〜２５３のうち、説明者用の発表者用コンピュータ１００からの画像データを表示する表示領域を選択し（例えば、表示領域２５１を選択し）、さらに、ＣＰＵ２１０は、Ｉ／０２６０が受信した画像データを選択した表示領域に表示する処理を行う。この処理が終了した場合には、ステップＳ４４０に処理を移す。
【００４４】
ステップＳ４３０において、ＣＰＵ２１０は、説明者によるマウス２４５又はキーボード２４０の操作に基づいて、発表者用コンピュータ１００からの画像データに対応する画像を表示する表示領域に表示されている画像に対応する画像を他の表示領域に表示する処理を行う。例えば、表示領域２５１に発表者用コンピュータ１００からの画像Ａが表示されている場合、表示領域２５２に画像Ａに対応する画像エイを表示する処理を行う。さらに、ＣＰＵ２１０は、他の表示領域に表示される画像に対応するデータをメモリ２６０に記憶する処理を行う。また、本実施例では、最初に表示領域２５１〜２５３が表示されているが、表示領域２５２、表示領域２５３に画像が表示された場合、さらに、表示領域２５２、表示領域２５３が縮小し、追加の表示領域が表示される。この処理が終了した場合には、ステップＳ４４０に処理を移す。
【００４５】
ステップＳ４４０において、ＣＰＵ２１０は、メモリ２６０に記憶されたデータをＩ／Ｏ２６０を介して選択画像のデータを説明者側のコンピュータに送信する処理を行う。さらに、ＣＰＵ２１０は、メモリ２６０の送信されたデータをリセットする処理を行う。この処理が終了した場合には、ステップＳ４５０に処理を移す。
【００４６】
ステップＳ４５０において、ＣＰＵ２１０は、説明者によるマウス２４５又はキーボード２４０の操作に基づいて、プレゼンテーションシステムのプログラムが停止されたか否かを判断する処理を行う。ＣＰＵ２１０がプログラムが停止されたと判断した場合には、プログラムの終了処理を行い、プログラムが停止されたと判断しない場合には、ステップＳ４２０に処理を移す。
【００４７】
図５は、本発明にかかるプレゼンテーションシステム１において実行される制御処理を示すフローチャートである。
【００４８】
ステップＳ５１０において、説明者用の発表者用コンピュータ１００のＣＰＵ１１０は、Ｉ／Ｏ１６０が、受講者用の受講者用コンピュータ２００などの受講者用のコンピュータから選択画像のデータを受信したか否かを判定する処理を行う。ＣＰＵ１１０が受信したと判定した場合には、ステップＳ５２０に処理を移し、ＣＰＵ１１０が受信したと判定しない場合には、本ルーチンを終了する。
【００４９】
ステップＳ５１０において、説明者用の発表者用コンピュータ１００のＣＰＵ１１０は、受信したデータをメモリ１２０に記憶し、記憶されたデータに対応する画像データの種類を判別する処理を行う。この処理が終了した場合には、ステップＳ５２０に処理を移す。より具体的には、この処理によって、ＣＰＵ１１０は、受講者側のコンピュータでどの画像が選択されたかを判別する。
【００５０】
ステップＳ５２０において、説明者用の発表者用コンピュータ１００のＣＰＵ１１０は、判別した画像データの種類ごとに受信した数をカウントし、メモリ１２０に記憶する処理を行う。この処理が終了した場合には、ステップＳ５３０に処理を移す。この処理によって、ＣＰＵ１１０は、どの画像がどの程度選択されたかをカウントする。
【００５１】
ステップＳ５２０において、説明者用の発表者用コンピュータ１００のＣＰＵ１１０は、説明者によるマウス１４５又はキーボード１４０の操作に基づいて、メモリ１２０に記憶された画像データの種類ごとに受信した数に応じたグラフ画像を、ディスプレイ１５０の表示領域の一つに表示する処理を行う。この処理が終了した場合には本ルーチンを終了する。
【００５２】
図６は、本発明にかかるプレゼンテーションシステム１において説明者側の発表者用コンピュータ１００で表示される表示画面の一例を示す説明図である。
【００５３】
図６に示すように、ディスプレイ１５０は、三個の表示領域を有し、右側に表示領域１５１と、左側上部に表示領域１５２と、左側下部に表示領域１５３とを備える。
【００５４】
表示領域１５１には、プレゼンテーション用の画像データが表示され、表示領域１５２には、プレゼンテーション用の画像データに関連付けられたアプリケーションの画像データが表示されている。また、表示領域１５３には、各受講者用のコンピュータから受信したデータ画像を示すグラフ画像が表示されている。
【００５５】
図７は、本発明にかかるプレゼンテーションシステム１において受講者側の受講者用コンピュータ２００で表示される表示画面の一例を示す説明図である。
【００５６】
図７に示すように、ディスプレイ２５０は、三個の表示領域を有し、右側に表示領域２５１と、左側上部に表示領域２５２と、左側下部に表示領域２５３とを備える。
【００５７】
表示領域２５１には、プレゼンテーション用の画像データが表示され、表示領域２５２、表示領域２５３には、受講者が選択した画面が表示されている。
【００５８】
［別実施形態］
図８を用いて、本発明の別実施形態にかかるプレゼンテーションシステム１を示す概念図である。図８に示すように、プレゼンテーションシステム１は、ディスプレイが２つあるいわゆるツインディスプレイのコンピュータを備えるシステムである。なお、本実施形態との差を明確にするために、同一部材は同一の符号を付している。
【００５９】
プレゼンテーションシステム１は、ディスプレイ１５０及びディスプレイ１５５を有する発表者用コンピュータ１００と、発表者用コンピュータ１００に接続し、ディスプレイ２５０を有する受講者用コンピュータ２００と、発表者用コンピュータ１００に接続し、ディスプレイ３５０及びディスプレイ３５５を有する受講者用コンピュータ３００と、発表者用コンピュータ１００に接続し、ディスプレイ４５０を有する受講者用コンピュータ４００とを含んで構成されている。なお、本実施形態において、受講者用コンピュータは三台かかれているが、一例であり、本発明はこれに限定されず受講者用コンピュータは一台、二台でもいいし、四台以上の複数であっても良い。このように、プレゼンテーションシステム１は、説明者用の画像を表示する説明者用画面を有する説明者用電子計算機、及び受講者用の画像を表示する受講者用画面を有する受講者用電子計算機を含むプレゼンテーションシステムの一例である。
【００６０】
別実施形態の発表者用コンピュータ１００では、説明者によるマウス１４５又はキーボード１４０の操作に基づいて、例えば、ディスプレイ１５０にプレゼンテーション用の画像データを展開し、例えば、ディスプレイ１５５にプレゼンテーション用の画像データに関連付けられた他のアプリケーション（例えば、Ｅｘｃｅｌ（登録商標）などの表計算ソフトや、Ｍｉｃｒｏｓｏｆｔ  Ｗｏｒｄ（登録商標）などのワープロソフトなど）の画像データを展開する。これにより、発表者は、ディスプレイ１５０を見ることによって、受講者がどの画面を見ているかわかり、ディスプレイ１５５を見ることによって、プレゼンテーション用の画像に関連するトピックをもれなく、正確に説明することが可能になる。
【００６１】
また、別実施形態の受講者用コンピュータ３００では、ディスプレイ３５０に目次や参考資料などの任意のプレゼン資料を表示しながら、ディスプレイ３５５において、現在のプレゼン資料を表示するといった各人の理解に最適なスタイルで聞くことができる。例えば、ディスプレイ３５０に表示された現在のプレゼン用資料の中に，専門用語（例えば、ＳＣＭ（サプライチェーンマネージメントの略）やＣＲＭ（カスタマーリレーションマネージメントの略）など）があれば、そこをクリック等すると，ディスプレイ３５５に用語解説が表示される。また、ＵＲＬやアプリケーションが埋め込まれていれば，他のアプリケーションを起動する。そして、ディスプレイ３５５において、展開した画像データを所定の位置（例えば、表示領域を４分割や、８分割や、９分割などして、左上から表示するなどの所定の位置）に表示する。
【００６２】
以上、説明したように、本実施形態によれば、複数の説明者用表示領域を持つため、説明者は説明者用表示領域として説明用画面とプレゼン用画面を独立して管理できることで、説明用画面に表示された他の情報を参照しながら、説明者用表示領域に表示された画像によってプレゼンできる。これにより、説明者は、説明用画面に表示する説明者用資料と、プレゼン用画面に表示するプレゼン用資料と独立して柔軟に作成できる。また、説明者は、一つの表示装置の表示画面上で操作できるので、仮に、緊張していたとしても簡単にプレゼン操作ができるとともに、説明者が説明用画面に表示された説明者用資料をカンニングすることで説明しやすくなる。
【００６３】
さらに、受講者用画面に設けられた複数の受講者用表示領域があるため、ある受講者用表示領域に受講者は操作によって、目次や参考資料などの任意のプレゼン資料を表示しながら、別の受講者用表示領域において、現在のプレゼン資料を表示するといった各人の理解に最適なスタイルで聞くことができる。例えば、現在のプレゼン用資料の中に，専門用語（例えば、ＳＣＭ（サプライチェーンマネージメントの略）やＣＲＭ（カスタマーリレーションマネージメントの略）など）があれば、そこをクリック等すると，別表示領域に用語解説が表示される。また、ＵＲＬやアプリケーションが埋め込まれていれば，他のアプリケーションを起動する。そして、展開した画像データを所定の位置（例えば、画面の左側や右側など主となるプレゼンテーション用の画像の表示に邪魔にならない領域）に表示する。このように、最適なスタイルで聞けることによって受講者がプレゼン内容を理解しやすくなる。このため、説明者がより効果的な説明を行うことが可能になるとともに、受講者にとって最適な受講スタイルをとることを可能とするプレゼンテーションシステムを提供することが可能になる。
【００６４】
また、本実施形態によれば、受講者の操作によって、どの画像が一時的に記憶されているかという記憶画像データが受講者用電子計算機から説明者用電子計算機に送信される。そして、説明者は、説明者用電子計算機が受信した記憶画像データを表示させることによって、受講者が興味を持った画像を知ることができる。例えば、受講者が興味を持った画像に関して、次回の説明の際に、より重点的に説明することによって、説明者がより効果的な説明を行うことが可能になる。
【００６５】
また、本実施形態によれば、記憶された記憶画像データの数に応じて記憶画像情報が表示されるため、説明者は、受講者が興味を持った画像を知ることができる。例えば、受講者が興味を持った画像に関して、次回の説明の際に、より重点的に説明することによって、説明者がより効果的な説明を行うことが可能になる。
【００６６】
また、本実施形態によれば、記憶された記憶画像データの数に応じたグラフ画像表示されるため、説明者は、受講者が興味を持った画像を知ることができる。例えば、受講者が興味を持った画像に関して、次回の説明の際に、より重点的に説明することによって、説明者がより効果的な説明を行うことが可能になる。
【００６７】
また、本実施形態によれば、所定周期ごとに、記憶画像データを前記説明者用電子計算機に送信するため、説明者は、適時、受講者が興味を持った画像を知ることができる。例えば、説明中に、受講者が興味を持った画像に関して情報が得られるため、再度、その画像についての内容を補足したり、質疑応答時の質問内容を予測したりすることによって、説明者がより効果的な説明を行うことが可能になる。
【００６８】
また、本実施形態によれば、受講者用電子計算機の受講者用操作部が、キーボードである。例えば、キーボードのファンクションキーを押すことによって、画像が記憶できるようになると、説明者が説明中に、受講者は、キーボードを見ることなく、必要な画像を記憶することが可能になり、説明に集中することが可能になる。
【符号の説明】
【００６９】
１  システム
１００  コンピュータ
１０５  本体部
１１０  ＣＰＵ
１２０  メモリ
１２５  画像バッファ
１３０  ハードディスク
１４０  キーボード
１４５  マウス
１５０  ディスプレイ
１５１  表示領域
１５２  表示領域
１５３  表示領域
１５５  ディスプレイ
１６０  Ｉ／Ｏ
２００  コンピュータ
２０５  本体部
２１０  ＣＰＵ
２２０  メモリ
２２５  画像バッファ
２３０  ハードディスク
２４０  キーボード
２４５  マウス
２５０  ディスプレイ
２５１  表示領域
２５２  表示領域
２５３  表示領域
２６０  Ｉ／Ｏ
３００  コンピュータ
３５０  ディスプレイ
３５５  ディスプレイ
４００  コンピュータ
４５０  ディスプレイ
【図１】
2010176250.tif 000003
【図２】
2010176250.tif 000004
【図３】
2010176250.tif 000005
【図４】
2010176250.tif 000006
【図５】
2010176250.tif 000007
【図６】
2010176250.tif 000008
【図７】
2010176250.tif 000009
【図８】
2010176250.tif 000010